(57)【要約】【課題】電線の線方向に沿って長い範囲において電線の浮き上がりを抑え込むことができ、電線の浮き上がりに起因する電線の損傷を防止することができる電線群係止具、プロテクタおよびワイヤーハーネスを提供する。【解決手段】電線群係止具２０は、長手方向に沿って一面部の中央部にスリット２１ａを有する筒部２１と、筒部２１の一面部と反対側の他面部に設けられ固定側部材の係止孔に差し込み掛止されるクリップ部２２とを備え、筒部２１の一面部は、スリット２１ａを通して筒部内に収容された電線３１をスリット２１ａから脱出しないように構成されている。【選択図】図２
2015126652.tif 000002
【特許請求の範囲】
【請求項１】
長手方向に沿って一面部の中央部にスリットを有する筒部と、
前記筒部の前記一面部と反対側の他面部に設けられ固定側部材の係止孔に差し込み掛止されるクリップ部とを備え、
前記筒部の前記一面部は、前記スリットを通して前記筒部内に収容された電線を前記スリットから脱出しないように構成されていることを特徴とする電線群係止具。
【請求項２】
前記筒部の前記一面部は、前記スリットの両側の断面形状が外方に円弧状である請求項１に記載の電線群係止具。
【請求項３】
前記筒部の前記一面部の前記スリットを挟む両側端縁部分は、前記スリットに向かうに連れて肉厚が薄くなる形状に形成されている請求項２に記載の電線群係止具。
【請求項４】
請求項１ないし請求項３のいずれか１項に記載の電線群係止具と、断面形状がＵ字溝でかつ、溝正面部にクリップ用係止孔が備えられたプロテクタ本体とを備え、
前記電線群係止具の前記クリップ部が、前記プロテクタ本体の前記クリップ用係止孔に係合され、前記電線群係止具が前記Ｕ字溝内に収容されてなることを特徴とするプロテクタ。
【請求項５】
前記プロテクタ本体は、バスバーモジュールプロテクタである請求項４に記載のプロテクタ。
【請求項６】
電線群と、前記請求項４または請求項５に記載のプロテクタとを含み、前記電線群が前記プロテクタの前記Ｕ字溝に収容され、かつ前記電線群係止具の前記スリットに通され当該電線群係止具に係止されたことを特徴とするワイヤーハーネス。
【請求項７】
前記電線群係止具が前記プロテクタに取付けられてから、前記電線群が前記Ｕ字溝に収容され、かつ、前記電線群係止具の前記スリットに通されていることを特徴とする請求項６に記載のワイヤーハーネス。
【請求項８】
前記電線群係止具の前記スリットに前記電線群を通してから前記電線群係止具が前記プロテクタに取付けられていることを特徴とする請求項６に記載のワイヤーハーネス。
【発明の詳細な説明】
【技術分野】
【０００１】
本発明は、電線群を係止させる電線群係止具、電線群を保護するプロテクタおよびワイヤーハーネスに関する。
【背景技術】
【０００２】
従来、バッテリを搭載した電気自動車に使用される電線配索装置において、各電圧検出端子側の電線に電線余長吸収部が形成されたものが知られている（例えば、特許文献１参照）。
【０００３】
図６に示す前述の従来の電線配索装置は、所定のバッテリのプラス端子と隣接するバッテリのマイナス端子がそれぞれ挿入される開口部７２Ｐおよび開口部７２Ｍと、各バッテリのピッチ公差を吸収する弾性連結部６３と、を有しており、各バッテリを積層した際に各端子のピッチのバラつきが生じても、その公差を吸収するようになっている。
【０００４】
また、従来の電線配索装置は、各バッテリの電圧を検出する複数の電圧検出端子６２Ｋと、この複数の電圧検出端子６２Ｋに接続された複数の電線ＷＬ１〜ＷＬ６を収容する複数のバッテリの積層方向に延びる電線収容部と、を有している。この電線収容部は、上部が開口した細長い形状を有しており、電圧検出端子６２Ｋに接続された電線ＷＬ１〜ＷＬ６を複数収容するようになっている。
【０００５】
しかも、従来の電線配索装置は、切断公差やピッチ公差のバラつきを吸収すべく電線余長スペース６１Ｓ１〜６１Ｓ６を各電線ＷＬ１〜ＷＬ６について設けている。
【０００６】
このように、従来の電線配索装置は、電線収納部に収容される電線ＷＬ１〜ＷＬ６が、バッテリの位置のずれを見込むとともに、電線に接続された各電圧検出端子６２Ｋ等を各バッテリの端子にボルトによって締結する作業を容易に行えるように、所定の余長を見込んでいる。
【先行技術文献】
【特許文献】
【０００７】
【特許文献１】特開２０１３−１７３３２号公報
【発明の概要】
【発明が解決しようとする課題】
【０００８】
しかしながら、上述した電線配索装置１００は、電線収容部６１Ｓ１〜６１Ｓ６に収容される電線の余長が多くなり過ぎると、電線が浮き上がって電線収容部からはみ出してしまう場合がある。このため、例えば、電線収容部の開口にカバーを被せるときに、電線収容部とカバーとの間に電線が挟まれて電線に損傷が生じることが懸念される。
【０００９】
本発明は、上述した課題を解決するためになされたものであり、電線収容部に単一の部品を備えることにより電線の線方向に沿って長い範囲において電線の浮き上がりを抑え込むことができ、従来において生じていた電線の浮き上がりに起因する電線の損傷を防止することができる電線群係止具、プロテクタおよびワイヤーハーネスを提供することを目的とする。
【課題を解決するための手段】
【００１０】
本発明に係る電線群係止具は、上記目的達成のため、長手方向に沿って一面部の中央部にスリットを有する筒部と、前記筒部の前記一面部と反対側の他面部に設けられ固定側部材の係止孔に差し込み掛止されるクリップ部とを備え、前記筒部の前記一面部は、前記スリットを通して前記筒部内に収容された電線を前記スリットから脱出しないように構成されている。
【００１１】
この構成により、本発明に係る電線群係止具は、単一の部品であり、クリップ部が、固定側部材の係止孔に差し込まれる。このためスリットを有する筒部が固定側部材に係止される。したがって、電線群係止具は、筒部のスリットを通して電線群を受容することができかつスリットから脱出しないように収容することができ、電線の線方向に沿って長い範囲において電線の浮き上がりを抑え込むことができ、従来において生じていた電線の浮き上がりに起因する電線の損傷を防止することができる。
【００１２】
また、上述した構成の電線群係止具において、前記筒部の前記一面部は、前記スリットの両側の断面形状が外方に円弧状である構成とすることが好ましい。
【００１３】
この構成により、本発明に係る電線群係止具は、スリットを通して筒部内に電線を収容する際にスリットが拡がる。このため、筒部内に電線を容易に収容することができる。また、本発明に係る電線群係止具は、外方に円弧状である筒部の一面部が筒部内に収容された電線を抱え込む。したがって、筒部内に収容された電線の外部への容易な脱出を回避できる。
【００１４】
また、上述した構成の電線群係止具において、前記筒部の前記一面部の前記スリットを挟む両側端縁部分は、前記スリットに向かうに連れて肉厚が薄くなる形状に形成されているのがよい。
【００１５】
この構成により、本発明に係る電線群係止具は、スリットを通して筒部内に電線を収容する際に、スリットに向かうに連れて肉厚が薄くなる筒部の一面部が容易に撓む。このため、スリットに電線を通しやすく、電線を傷つけない。
【００１６】
本発明に係るプロテクタは、上記目的を達成するため、上述した電線群係止具と、断面形状がＵ字溝でかつ、溝正面部にクリップ用係止孔が備えられたプロテクタ本体とを備え、前記電線群係止具の前記クリップ部が、前記プロテクタ本体の前記クリップ用係止孔に係合され、前記電線群係止具が前記Ｕ字溝内に収容されてなる構成を有している。
【００１７】
この構成により、本発明に係るプロテクタは、電線を係止した電線群係止具のクリップ部を、クリップ用係止孔に差し込んでプロテクタ本体に掛止して、プロテクタ本体に対する電線の浮き上がりを抑える。これにより、本発明に係るプロテクタは、浮き上がりに起因した電線の損傷を防止することができる。
【００１８】
また、上述した構成のプロテクタにおいて、前記プロテクタ本体は、バスバーモジュールプロテクタである構成としてもよい。
【００１９】
この構成により、本発明に係るプロテクタは、電線を係止した電線群係止具のクリップ部を、クリップ用係止孔に差し込んでバスバーモジュールプロテクタに掛止して、バスバーモジュールプロテクタに対する電線の浮き上がりを抑える。これにより、本発明に係るプロテクタは、浮き上がりに起因した電線の損傷を防止することができる。
【００２０】
本発明に係るワイヤーハーネスは、上記目的を達成するため、電線群と上述した構成のプロテクタとを含み、前記電線群が前記プロテクタの前記Ｕ字溝に収容され、かつ前記電線群係止具の前記スリットに通され当該電線群係止具に係止された構成を有している。
【００２１】
この構成により、本発明に係るワイヤーハーネスは、プロテクタのＵ字溝に収容される電線群を電線群係止具に係止して、プロテクタに対する電線群の浮き上がりを抑える。これにより、本発明に係るワイヤーハーネスは、浮き上がりに起因した電線の損傷を防止することができる。
【００２２】
また、上述した構成のワイヤーハーネスにおいて、前記電線群係止具が前記プロテクタに取付けられてから、前記電線群が前記Ｕ字溝に収容され、かつ、前記電線群係止具の前記スリットに通されている構成としてもよい。
【００２３】
この構成により、本発明に係るワイヤーハーネスは、プロテクタに取付けた電線群係止具に電線群を係止して、プロテクタに対する電線群の浮き上がりを抑える。これにより、本発明に係るワイヤーハーネスは、浮き上がりに起因した電線の損傷を防止することができる。
【００２４】
また、上述した構成のワイヤーハーネスにおいて、前記電線群係止具の前記スリットに前記電線群を通してから前記電線群係止具が前記プロテクタに取付けられている構成としてもよい。
【００２５】
この構成により、本発明に係るワイヤーハーネスは、電線群を係止した電線群係止具をプロテクタに取付けて、プロテクタに対する電線群の浮き上がりを抑える。これにより、本発明に係るワイヤーハーネスは、浮き上がりに起因した電線の損傷を防止することができる。
【発明の効果】
【００２６】
本発明によれば、電線収容部に単一の部品を備えることにより電線の線方向に沿って長い範囲において電線の浮き上がりを抑え込むことができ、従来において生じていた電線の浮き上がりに起因する電線の損傷を防止することができる電線群係止具、プロテクタおよびワイヤーハーネスを提供することができる。
【図面の簡単な説明】
【００２７】
【図１】本発明の実施の形態に係る電線群係止具、プロテクタおよびワイヤーハーネスについて、組付工程を示す概略斜視図である。
【図２】本発明の実施の形態に係る電線群係止具、プロテクタおよびワイヤーハーネスの概略断面図である。
【図３】本発明の実施の形態に係る電線群係止具を適用した電池配線モジュールパネルの平面図である。
【図４】本発明の実施の形態に係る電線群係止具を適用した電池配線モジュールパネルの底面図である。
【図５】図４におけるＶ−Ｖ断面図である。
【図６】従来例に係る電線配索装置の正面図である。
【発明を実施するための形態】
【００２８】
以下、本発明の実施の形態に係る電線群係止具、プロテクタおよびワイヤーハーネスについて、図面を参照して説明する。
【００２９】
（第１の実施の形態）
図１、図２に示すように、第１の実施の形態に係るワイヤーハーネス１は、チャンネル状のプロテクタ本体１１と、プロテクタ本体１１の溝内に収容されるスリット２１ａを有する電線群係止具２０と、電線群係止具２０のスリット２１ａより電線群係止具２０内に受容され浮き上がりを抑制される電線群３０と、を含んで構成されている。本実施の形態に係るプロテクタ１０は、電線群係止具２０と、プロテクタ本体１１とを含んで構成されている。電線群３０は束ねられていない状態にかつ余長が生じる状態に配索される。なお、電線群３０は、複数の電線３１を図示しない粘着テープ等で荒巻して束ねられたものも適用される。
【００３０】
プロテクタ本体１１は、例えばポリプロピレン等の樹脂材料を用いて成形されており、この実施の形態では、単純にチャンネル状に形成されているものを図示しているが、後述する第２の実施の形態において示すように、チャンネル状に限定されるものではなく、電線群３０を通すＵ字溝を有している全てのプロテクタを含む。
【００３１】
電線群係止具２０は、例えばポリプロピレン等の樹脂材料を用いて成形され、筒部２１およびクリップ部２２と有しており、プロテクタ本体１１の溝内に収容されて、電線群３０を図示しない固定側部材に係止するものである。
【００３２】
筒部２１は、長手方向に沿って一面部（図中の上面部）の中央部に、一端部から他端部に向けて延びるスリット２１ａを有しており、電線群３０をスリット２１ａを通して筒部２１内に収容するように構成されている。
【００３３】
筒部２１の一面部は、軸方向視におけるスリット２１ａの両側の断面形状が、外方に向けて凸曲面をなす円弧状に形成されている。また、筒部２１の一面部において、スリット２１ａを挟む両側端縁部分は、スリット２１ａに向かうに連れて肉厚が薄くなる形状に形成されており、電線群３０を通すときには電線群３０に押されて容易に撓むことができる。
【００３４】
筒部２１は、一面部のスリット２１ａの両側の断面形状を、外方に向けて凸曲面をなす円弧状に形成されているため、筒部２１に電線群３０を押し込む際に、スリット２１ａが拡がりやすい。このため、本実施の形態に係る電線群係止具２０は、筒部２１の内部に電線群３０を容易に収容することができる。
【００３５】
筒部２１は、スリット２１ａの両側の円弧状部分が、スリット２１ａに向かうに連れて肉厚が薄くなるように形成されているため、スリット２１ａを通して筒部２１の内部に電線群３０を押し込む際に、スリット２１ａの両側の円弧状部分が電線群３０に押圧されて容易に撓むようになっている。これによって、スリット２１ａの間隔が広がるので、スリット２１ａに電線群３０を通しやすく、電線群３０を傷つけない。
【００３６】
また筒部２１は、スリット２１ａの両側の円弧状部分において、筒部２１の内部に収容された電線群３０を抱え込み、収容された電線群３０がスリット２１ａの両側の円弧状部分を外方へ押圧すると、スリット２１ａの間隔を狭めることになるから、内部に収容された電線群３０が外部へ容易に脱出できないようになっている。
【００３７】
クリップ部２２は、筒部２１の他面部（図中の下面部）の中央部から下向きに突出する軸部２２ａと、軸部２２ａの下端部に設けた掛止片２２ｂとを含んでいる。軸部２２ａは、後述するプロテクタ本体１１の係止孔１１ｄに挿通可能な外径を有している。掛止片２２ｂは、先端（図中の下端）に向けて外径が縮小する形状を有しており、係止孔１１ｄに挿入すると外径が縮小するように弾性変形し、係止孔１１ｄを通り抜けた後に形状を復元して掛止するようになっている。
【００３８】
以下、本実施の形態に係るワイヤーハーネス１を組み立てる手順について簡単に説明する。
【００３９】
プロテクタ本体１１の溝内に電線群係止具２０を位置させ、電線群係止具２０のクリップ部２２を、プロテクタ本体１１の係止孔１１ｄに挿入する。
【００４０】
次いで、電線群３０を筒部２１のスリット２１ａに通して筒部２１内に収容する。電線群３０を筒部２１のスリット２１ａに通す際、電線群３０が筒部２１の先端を押圧することになり、筒部２１の先端が内方へ撓んでスリット２１ａの間隔が広くなり、これによって、電線群３０の筒部２１内への収容が容易に行われる。以上で、ワイヤーハーネス１の組み立てが終了する。
【００４１】
このワイヤーハーネス１は、プロテクタ本体１１の溝内で電線群係止具２０が電線群３０を浮き上がらないように抑えているので、プロテクタ１０を図示しない固定側部材（例えば車両ボディ等）に固定する際に、電線群３０を浮き上がらないようにした配索が実現でき、浮き上がりに起因した電線３１の損傷を防止することができる。
【００４２】
（第２の実施の形態）
第２の実施の形態に係るワイヤーハーネス１Ａは、図３〜図５に示すように、第１の実施の形態に係るチャンネル状のプロテクタ１０に相当する電池配線モジュールパネル８０に設けられた電線群配索用の電線収容部８１と、電線収容部８１の溝内に収容されるスリット２１ａを有する電線群係止具２０と、電線群係止具２０のスリット２１ａより電線群係止具２０内に受容され浮き上がりを抑制される電線群３０Ａと、を含んで構成されている。
【００４３】
図３、図４に示すように、電池配線モジュールパネル８０の電線収容部８１と、電線収容部８１に収容された電線群３０と、を含んだ構成部分が本発明に係るプロテクタを構成している。図３、図４中、図１、図２と同一の符号を付した部分は同一物を表している。
【００４４】
図３に示すように、電池配線モジュールパネル８０は、樹脂材料により形成されたバスバーモジュールプロテクタ本体であり、上部が開口して複数の電線３１が配索される電線収容部８１と、電極端子９１を収容する端子収容部８２と、電極端子９２を収容する端子収容部８３と、中間端子９３を収容する端子収容部８４とを有している。
【００４５】
図４および図５に示すように、電線収容部８１は、左右の壁部８１ａ，８１ａと、左右の壁部８１ａ，８１ａの間に位置して底部８１ｂを備えたＵ字状の断面形状を有しており、底部８１ｂには複数の係止孔８１ｃが穿設されている。そして、図４に示すように、複数の係止孔８１ｃは、電線群３０Ａの軸方向に並ぶように穿設されている。
【００４６】
各電線３１の一端部には、電極端子９１，９２もしくは中間端子９３のいずれかが装着されている。これらの電線３１は電線群３０Ａを構成して電線収容部８１に収容されている。
【００４７】
電線群係止具２０は、筒部２１に電線群３０Ａを収容するとともに、クリップ部２２が電線収容部８１の底部８１ｂの係止孔８１ｃに挿入されて、バスバーモジュールプロテクタである電池配線モジュールパネル８０に固定されている。
【００４８】
電線群係止具２０は、クリップ部２２が電池配線モジュールパネル８０の電線収容部８１の底部に固定され、筒部２１に電線群３０Ａを収容しており、電池配線モジュールパネル８０に対する電線群３０Ａの浮き上がりを抑える。これにより、電池配線モジュールパネル８０に蓋を被せる際に、電線収容部８１の開口縁と蓋とで電線群３０Ａを挟んでしまうことが回避され、浮き上がりに起因した電線３１の損傷を防止することができる。
【００４９】
また、電線収容部８１の底部８１ｂに設けられる複数の係止孔８１ｃは、電線群係止具２０の長さよりも少し大きな間隔で設けられているので、余長が大きく生じて浮き上がる恐れがある箇所が予想できない場合には、全ての係止孔８１ｃに電線群係止具２０を取り付けることにより、電線群３０Ａの浮き上がりを全長に渡り抑制することができる。
【００５０】
以上のように、本発明に係る電線群係止具は、単体であり製作コストが極めて低コストであり、プロテクタ本体の溝の底面に係止孔を設けるだけでプロテクタ本体の溝内に取り付けることができて、短い範囲から長い範囲まで、その範囲内に応じた長さのものを適宜選択してプロテクタ本体の溝内に取り付けることで、スリットを通して電線群を傷つけることなく円滑に受容することができ、電線の浮き上がりを抑える機能を有する。本発明に係るプロテクタおよびワイヤーハーネスは、上記の電線群係止具を備えるので、電線の浮き上がりを抑える機能を有する。
【００５１】
本発明に係る電線群係止具、プロテクタおよびワイヤーハーネスは、電線の線方向に沿って長い範囲において電線の浮き上がりを抑え込むことができ、従来において生じていた電線の浮き上がりに起因する電線の損傷を防止することができるという効果を有し、車両、種々の装置、機械設備等に配索する電線群をプロテクタで保護する箇所であって、電線に余長が生じる恐れがある箇所に適用するプロテクタおよびワイヤーハーネスの全般に有用である。
【符号の説明】
【００５２】
１，１Ａ  ワイヤーハーネス
１０  プロテクタ
１１  プロテクタ本体
１１ｄ  係止孔（クリップ用係止孔）
２０  電線群係止具
２１  筒部
２１ａ  スリット
２２  クリップ部
３０，３０Ａ  電線群
３１  電線
８０  電池配線モジュールパネル
８１  電線収容部（プロテクタ本体）
【図１】
2015126652.tif 000003
【図２】
2015126652.tif 000004
【図３】
2015126652.tif 000005
【図４】
2015126652.tif 000006
【図５】
2015126652.tif 000007
【図６】
2015126652.tif 000008